(57)【要約】【課題】本発明は、遺骨を海に沈めて海葬するため、火葬した人または動物の遺骨を漆喰と練り合わせ、さらに沖縄で採れる天然材料を混ぜ合わせることで、所望の形状に成形した遺骨混合成形体を提供することを課題とする。【解決手段】本発明に係る遺骨混合成形体は、遺骨に漆喰を練り合わせ、さらに沖縄で採れる風化造礁珊瑚やサトウキビなどの天然材料を混合したことを特徴とする。これにより、漆喰が海水と反応して溶け流れることで、海中に沈めてから一定期間経過後には、完全に消失させることができるから、遺骨混合成形体が海面を漂流して、投棄物や遺失物であると誤認されたり、多くの遺骨混合成形体が海葬に供されても、海底に沈積するおそれがない。【選択図】なし【特許請求の範囲】
【請求項１】
遺骨に漆喰を練り合わせたこと
を特徴とする遺骨混合成形体。
【請求項２】
遺骨に漆喰を練り合わせ、
さらに、沖縄で採れる風化造礁珊瑚やサトウキビなどの天然材料を混合したこと
を特徴とする遺骨混合成形体。
【請求項３】
遺骨混合成形体の側面に、故人の名前（戒名や俗名）、没年月日（享年・行年）などを刻印すること
を特徴とする請求項１または請求項２に記載の遺骨混合成形体。
【発明の詳細な説明】
【技術分野】
【０００１】
本発明は、遺骨を海に沈めて海葬するため、火葬した人または動物の遺骨を、漆喰と練り合わせ、さらに沖縄で採れる天然材料を混ぜ合わせることで、所望の形状に成形した遺骨混合成形体に関する。
【背景技術】
【０００２】
従来から、火葬した人または動物の遺骨を、粉末状にしたうえで、海に撒く「海葬」という葬送方法が知られている。
しかし、この海葬は、船舶等により沖合に出て粉末状の遺骨を海に撒くだけであるため、陸上で行う葬送方法と異なり、墓地や墓標を建てることができず、散骨した地点をＧＰＳなどによって特定する程度でしか、故人と最後に別れた場所を留めておくことができない。
【０００３】
そこで、特許文献１には、一定期間、遺骨を収容したままの状態で海底に収めておくことができる骨壺が開示されている。
しかし、この骨壺は、海中で溶ける素材を主成分として形られており、そのために鋳造、加熱加工などの製造や保管が容易ではなく、また、海中に投じられると直ちに溶解が始まり、海底に長く留まらせることができない、という問題がある。
【０００４】
これに対し、特許文献２は、身を取り出した天然の巻貝の貝穴から、巻貝の底部に遺骨を収容し、さらにその貝穴を塞いだ海葬用の遺骨収容体が開示されている。
これによれば、海水を汚染する心配が全くなく、海葬後も所望の期間にわたって海底で遺骨を収容した状態で留めておくことが可能であり、さらに、必要であれば回収も可能である。
【先行技術文献】
【特許文献】
【０００５】
【特許文献１】特開２００２−３６０６４２公報
【特許文献２】特許第４８２０３９０号公報
【発明の概要】
【発明が解決しようとする課題】
【０００６】
しかしながら、特許文献２の遺骨収容体は、天然の巻貝を利用したものであるため、収容できる遺骨の量は限られ、また、収容体を所望の形状に成形することができない。
さらに、特許文献２の遺骨収容体は、海葬後に回収ができるとしても、長期間海中を漂えば、海葬した地点から大きく移動していることが考えられ、現実的には回収できない場合が多いと考える。
【０００７】
むしろ、海葬を望む多くの人は、自身の没後、遺骨を、海洋に撒いたり、海中に沈めることを希望しているのであって、回収を希望することはないと考えられるほか、遺族が故人の遺志に反して遺骨を回収することも考えにくい。
【０００８】
そうすると、海葬方法としては、遺骨を収容した収容体は、一定期間、海中に留めておくことができれば十分であり、一定期間経過後は、海中で溶けてしまうことが望ましいと考える。
また、遺骨を収容した収容体は、所望の形状に成形できたり、これを墓石や墓標代わりにできることが望ましいと考える。
さらに、海葬を望む人は、その海域に対する愛着や思慕の念を抱いていることが多いと考えらえるが、例えば、遺骨を収容する収容体が、その海域で採れる天然材料で作られていれば、海葬に対する満足感を高めることができる。
【０００９】
そこで、本発明は、上記課題に鑑みてなされたものであり、遺骨を海に沈めて海葬するため、火葬した人または動物の遺骨を漆喰と練り合わせ、さらに沖縄で採れる天然材料を混ぜ合わせることで、所望の形状に成形した遺骨混合成形体を提供することを課題とする。
【課題を解決するための手段】
【００１０】
本発明に係る遺骨混合成形体は、遺骨に漆喰を練り合わせたことを特徴とする。
【００１１】
遺骨混合成形体は、火葬して粉末状にした人や動物の遺骨を、漆喰と練り合わせて成形する。
焼骨、つまり、火葬した人や動物の遺骨を、粉末状にし、これに漆喰と水とを混合攪拌して、セメント状原材料とする。
遺骨と漆喰の混合割合は、遺骨混合成形体として成形できればどの割合でもよい。
結合材として、接着剤、硬化剤を混合させることもできる。
また、沖縄で採れる風化造礁珊瑚やサトウキビの枯葉、芯、絞りカス（バガス）のほか、モズク（生、乾燥粉末など）、海藻、海苔、麻、藁などの天然材料を混合させることもできる。
【００１２】
前記の遺骨混合成形体に、比重が増す材料を加えることもできる。
これにより、遺骨混合成形体が海底に沈み、海中に沈めてから一定期間経過後には、漆喰が海水と反応して溶けだすことで遺骨混合成形体を完全に消失させることができる。
漆喰のほかに天然材料を混合させた場合でも、天然材料は海中生物に食べられたり、海中で分解されるなどして、一定期間経過後には無くなってしまう。
このようにして、本発明に係る多くの遺骨混合成形体が海葬に供されても、海面を漂流して、投棄物や遺失物であると誤認されるおそれはないし、海底に沈積するおそれもない。
【００１３】
また、本発明に係る遺骨混合成形体は、予め空洞を有する形状に成形することもでき、その空洞部分に、火葬して粉末状にした人や動物の遺骨を収容することもできる。
これにより、遺族は、故人の遺骨を手軽に遺骨混合成形体に収めることができ、より簡便に海葬を行うことができる。
【００１４】
本発明に係る遺骨混合成形体は、
前記の遺骨混合成形体の側面に、故人の名前（戒名や俗名）、没年月日（享年・行年）などを刻印すること
を特徴とする。
遺骨混合成形体に、故人の名前（戒名や俗名）、没年月日（享年・行年）などを刻印することで、墓標または墓石としての役割をもたせることができる。
【発明の効果】
【００１５】
本発明に係る遺骨混合成形体は、漆喰が海水と反応して溶け流れることで、海中に沈めてから一定期間経過後には、完全に消失させることができるから、遺骨混合成形体が海面を漂流して、投棄物や遺失物であると誤認されたり、多くの遺骨混合成形体が海葬に供されても、海底に沈積するおそれがない。
また、遺骨混合成形体に、故人の名前（戒名や俗名）、没年月日（享年・行年）などを刻印することで、墓標または墓石としての役割をもたせることができる。
【発明を実施するための形態】
【００１６】
本発明に係る遺骨混合成形体の製造方法は、次のとおりである。
焼骨、つまり、火葬した人や動物の遺骨を、粉末状にし、これに漆喰と水とを混合攪拌して、セメント状原材料とする。
遺骨と漆喰の混合割合は、遺骨混合成形体として成形できればどの割合でもよい。
結合材として、接着剤、硬化剤を混合させることもできる。
また、沖縄で採れる風化造礁珊瑚やサトウキビの枯葉、芯、絞りカス（バガス）のほか、モズク（生、乾燥粉末など）、海藻、海苔、麻、藁などの天然材料を混合させることもできる。
前記の遺骨混合成形体に、比重が増す材料を加えることもできる。
これにより、遺骨混合成形体が海底に沈み、海中に沈めてから一定期間経過後には、漆喰が海水と反応して溶けだすことで遺骨混合成形体を完全に消失させることができる。
漆喰のほかに天然材料を混合させた場合でも、天然材料は海中生物に食べられたり、海中で分解されるなどして、一定期間経過後には無くなってしまう。
このようにして、多くの遺骨混合成形体が海葬に供されても、海面を漂流して、投棄物や遺失物であると誤認されるおそれはないし、海底に沈積するおそれもない。
【００１７】
遺骨と漆喰のほか、上記した天然材料や結合材などの副材料を練り合わせ、成形型に充填して養生固化させたのち、型から取り出すことで、遺骨混合成形体が完成する。
なお、遺骨混合成形体は、予め空洞を有する形状に成形することもでき、その空洞部分に、火葬して粉末状にした人や動物の遺骨を収容することもできる。
これにより、遺族は、故人の遺骨を手軽に遺骨混合成形体に収めることができ、より簡便に海葬を行うことができる。
収容した空洞部分は、完全にシールして密閉してもよいし、開閉自在に塞ぐだけの状態にすることもできる。
【００１８】
また、遺骨混合成形体に、故人の名前（戒名や俗名）、没年月日（享年・行年）などを刻印することで、墓標または墓石としての役割をもたせることができる。
刻印は、遺骨混合成形体の任意の場所にすることができる。
【００１９】
遺骨混合成形体自体を、デザイン性に優れた形状に成形することができるし、着色をしたり、故人の遺品を取り付けることもできる。
【００２０】
以上のとおり、本実施例に係る遺骨混合成形体は、遺骨収容体として海葬に供することができるほか、墓石や墓標代わりにもできる。
さらに、沖縄で採れる天然材料を副材料に使用することで、沖縄の海域で行う海葬を望む人に対しても高い満足感を与えることができる。